(57)【要約】【課題】スルー画を表示しながらの撮影時に、画面の急激な輝度変化に対して追従性を向上することができ、高品位なスルー画を表示できるようにすること。【解決手段】被写体像を撮像する撮像素子１１３を有し、該撮像素子１１３の出力に基づいてデジタル画像を出力する撮像部と、該撮像部で得られたデジタル画像をスルー画として表示するためのＬＣＤ１２７等と、を備えたデジタルスチルカメラ１００に、更に、当該デジタルスチルカメラ１００自身の動きを検出する動き検出部１２８と、上記撮像素子１１３の露出条件を算出して露出を制御するシステムコントローラ１０２と、を設け、上記システムコントローラ１０２によって、上記動き検出部１２８によって検出された当該デジタルスチルカメラ１００自身の動きに応じて、上記撮像素子１１３の露光時間と感度を切り替えて上記ＬＣＤ１２７等に表示されるスルー画の輝度を適正状態に保つ。【選択図】図１
2009188644.tif 000002
【特許請求の範囲】
【請求項１】
被写体像を撮像する撮像素子を有し、前記撮像素子の出力に基づいてデジタル画像を出力する撮像部と、
前記撮像部で得られたデジタル画像をスルー画として表示するための画像表示部と、
を備えた撮像装置において、
当該撮像装置自身の動きを検出する動き検出部と、
前記撮像素子の露出条件を算出して露出を制御する露出制御部と、
を更に具備し、
前記露出制御部は、前記動き検出部によって検出された当該撮像装置自身の動きに応じて、前記撮像素子の露光時間と感度を切り替えて前記画像表示部に表示されるスルー画の輝度を適正状態に保つことを特徴とする撮像装置。
【請求項２】
前記撮像部は、前記画像表示部に１フレームの画像を表示する間に１枚の画像を出力するモードと複数枚の画像を出力するモードとを切り替えて動作すること特徴とする請求項１に記載の撮像装置。
【請求項３】
前記動き検出部は、当該撮像装置自身の動く速度を検出することにより前記動きを検出することを特徴とする請求項１に記載の撮像装置。
【請求項４】
被写体像を撮像する撮像素子を有し、前記撮像素子の出力に基づいてデジタル画像を出力する撮像部と、
前記撮像部で得られたデジタル画像をスルー画として表示するための画像表示部と、
を備えた撮像装置において、
当該撮像装置のズームレンズのズーム倍率の変動を検出するズーム移動検出部と、
前記撮像素子の露出条件を算出して露出を制御する露出制御部と、
を更に具備し、
前記露出制御部は、前記ズーム移動検出部によって検出されたズーム倍率の変動に応じて、前記撮像素子の露光時間と感度を切り替えて前記画像表示部に表示されるスルー画の輝度を適正状態に保つことを特徴とする撮像装置。
【発明の詳細な説明】
【技術分野】
【０００１】
本発明は、デジタルスチルカメラやビデオカメラ等の撮像装置に関し、特に、撮影時のモニタ用の映像を表示するスルー画表示を行う機能を有する撮像装置に関する。
【背景技術】
【０００２】
近年、デジタルスチルカメラに代表される撮像装置では、多機能、高画質化が進展するに伴い、光学ファインダと同じ様に、撮影時の画角の視認や、微妙なフォーカス調整といった操作を表示装置で行いたいという要求に対して、撮像素子上に結像している像を動画像の映像として、液晶（ＬＣＤ）モニタ等に表示するスルー画表示機能（ライブビュー機能）を備えた撮像装置が普及している。
【０００３】
スルー画表示機能の動作は、通常、撮像素子から定期的な間隔で画素間引き、あるいは画素混合などを行いながら電荷を読み出して画像信号を生成し、撮影における画角等を決定する為に、最終的にＬＣＤモニタや電子ビューファインダ（ＥＶＦ）等へ表示する動作である。
【０００４】
このようなスルー画表示機能を備えた撮像装置において、例えば、特許文献１には、暗い条件下において、明るさに応じて撮像素子の露光時間を制御すると共に、撮像信号の基準値を中心に増減制御しつつ、露光時間の延長側の制御範囲を所定の基準時間に制限することにより、画質の低減を押さえる技術が提案されている。
【０００５】
また、特許文献２においては、外光の明るさに、被写体の動きに応じて光学フィルタを退避させることにより、撮像素子へ光量を調整できるようにしたものが開示されている。
【特許文献１】特開２０００−９２３８０号公報
【特許文献２】特開２００７−２１５１０７号公報
【発明の開示】
【発明が解決しようとする課題】
【０００６】
しかしながら、上記特許文献１や上記特許文献２においては、撮影画面の明るさが急激に変化する場合には、露出制御に時間を要するため、スルー画表示中に一時的に撮影被写体が見えにくくなる、所謂白とび現象が発生してしまう。
【０００７】
本発明は、上記の点に鑑みてなされたもので、スルー画を表示しながらの撮影時（フレーミング時やズーミング時など）に画面の急激な輝度変化に対して追従性を向上することができ、高品位なスルー画を表示することが可能な撮像装置を提供することを目的とする。
【課題を解決するための手段】
【０００８】
本発明の撮像装置の一態様は、
被写体像を撮像する撮像素子を有し、前記撮像素子の出力に基づいてデジタル画像を出力する撮像部と、
前記撮像部で得られたデジタル画像をスルー画として表示するための画像表示部と、
を備えた撮像装置において、
当該撮像装置自身の動きを検出する動き検出部と、
前記撮像素子の露出条件を算出して露出を制御する露出制御部と、
を更に具備し、
前記露出制御部は、前記動き検出部によって検出された当該撮像装置自身の動きに応じて、前記撮像素子の露光時間と感度を切り替えて前記画像表示部に表示されるスルー画の輝度を適正状態に保つ
ことを特徴とする。
【０００９】
また、本発明の撮像装置の別の態様は、
被写体像を撮像する撮像素子を有し、前記撮像素子の出力に基づいてデジタル画像を出力する撮像部と、
前記撮像部で得られたデジタル画像をスルー画として表示するための画像表示部と、
を備えた撮像装置において、
当該撮像装置のズームレンズのズーム倍率の変動を検出するズーム移動検出部と、
前記撮像素子の露出条件を算出して露出を制御する露出制御部と、
を更に具備し、
前記露出制御部は、前記ズーム移動検出部によって検出されたズーム倍率の変動に応じて、前記撮像素子の露光時間と感度を切り替えて前記画像表示部に表示されるスルー画の輝度を適正状態に保つことを特徴とする。
【発明の効果】
【００１０】
本発明によれば、当該撮像装置の動きやズームレンズのズーム倍率の変動を検出することで、撮影画面の輝度が急激に変化するのに備えて、撮像素子の露光時間と感度を切り替えて前記画像表示部に表示されるスルー画の輝度を適正状態に保つため、スルー画表示において画面の急激な輝度変化に追従性良く対応でき、スルー画の見栄え、視認性の低下を防止することにより、高品位なスルー画の表示が可能になり、フレーミングやズーミングなどを行い易くなる撮像装置を提供することができる。
【発明を実施するための最良の形態】
【００１１】
以下、本発明を実施するための最良の形態を図面を参照して説明する。
【００１２】
［第１実施形態］
図１は、本発明の撮像装置の第１実施形態に係るデジタルスチルカメラ１００の構成を示すブロック図である。
【００１３】
ＵＩ制御部１０１は、利用者が当該デジタルスチルカメラ１００を操作する図示していない各種ボタンなどのユーザインターフェイスの入力を受けて、入力情報をシステムコントローラ１０２に伝達し、システムコントローラ１０２は、その入力情報に従って該デジタルスチルカメラ１００の各部の動作を制御する。
【００１４】
レンズ１０３は、フォーカスレンズとズームレンズにより構成されており、レンズ駆動部１０４によって制御、駆動される。このレンズ駆動部１０４は、モータとモータドライバにより構成され、上記システムコントローラ１０２の制御の下、上記ＵＩ制御部１０１からの入力に従ったズームの制御を行い、ＡＦ処理部１０５から出力されバス１０６を介して入力されるフォーカス位置データに基づいて駆動する。ズーム移動検出部１０７は、ズームエンコーダと差分検出回路によって構成される。ズームエンコーダは、上記レンズ１０３のズームレンズの位置情報を検出し、ズームコードとして出力し、差分検出回路では、時系列ズームコードの変化を検出して、ズームレンズのズーム倍率の変動を検出する。
【００１５】
絞り１０８は、絞り駆動部１０９により制御、駆動される。この絞り駆動部１０９は、モータとモータドライバとによって構成され、上記システムコントローラ１０２の制御の下、ＡＥ処理部１１０から出力されバス１０６を介して入力される絞り値データに基づいて上記絞り５４の径を制御する。
【００１６】
メカシャッタ１１１は、モータとモータドライバによって構成され、メカシャッタ駆動部１１２によって駆動される。このメカシャッタ駆動部１１２は、上記システムコントローラ１０２の制御の下、上記ＵＩ制御部１０１からのシャッタボタンの押下信号のタイミングに合わせて、上記ＡＥ処理部１１０から出力されバス１０６を介して入力されるシャッタ速度データに応じて上記メカシャッタ１１１の開閉を制御する。
【００１７】
撮像素子１１３は、多数の受光素子がマトリクス状に配置されてなる光電面を有しており、上記レンズ１０３を通過した被写体像が光電面に結像され、光電変換される。この撮像素子１１３は、ＲＧＢ各色の色フィルタがモザイク状に配置されている。そして、この撮像素子１１３は、上記システムコントローラ１０２の制御の下、撮像素子駆動部１１４から供給される垂直転送クロック信号及び水平転送クロック信号に同期して、画素毎に蓄積された電荷を読み出して画像信号として出力する。各画素における電荷の露光時間は、上記撮像素子駆動部１１４から与えられる電子シャッタ駆動信号によって制御される。
【００１８】
上記撮像素子１１３が出力する画像信号は、ＣＤＳ（相関２重サンプリング回路）１１５でノイズ除去が行われ、ゲイン調整が行われた後、ＡＭＰ１１６で増幅され、Ａ／Ｄ変換器１１７によってデジタル画像データに変換される。即ち、これら撮像素子１１３、ＣＤＳ１１５、ＡＭＰ１１６、及びＡ／Ｄ変換器１１７によって、撮像部が構成される。
【００１９】
上記システムコントローラ１０２では、上記メカシャッタ駆動部１１２、上記撮像素子駆動部１１４のタイミング制御も行い、上記ＵＩ制御部１０１からのシャッタボタンの押下信号のタイミングに応じて、上記メカシャッタ１１１の開閉、上記撮像素子１１３の電荷読み出しの制御を行い、上記ＣＤＳ１１５、上記ＡＭＰ１１６、及び上記Ａ／Ｄ変換器１１７のアナログ信号処理後のデジタル画像データをバス１０６を介してメモリ１１８に書き込む。このメモリ１１８は、上記Ａ／Ｄ変換器１１７でＡ／Ｄ変換によってデジタルデータに変換された画像データを一時的に保存する作業用のメモリである。また、上記システムコントローラ１０２は、ストロボ制御部１１９を制御することで、ストロボ１２０の発光動作を制御する。
【００２０】
上記ＡＦ処理部１０５は、上記ＵＩ制御部１０１によって設定されたエリア情報を用いて画像データから合焦位置を決定する。このとき、利用者による上記ＵＩ制御部１０１によるシャッタボタンの押下操作（撮影指示）に従って、連続的に上記メモリ１１８に書き込まれた画像データを処理することにより、上記レンズ１０３を駆動するためのフォーカス位置データの演算を行う。
【００２１】
上記ＡＥ処理部１１０は、上記メモリ１１８に書き込まれた画像データから被写体輝度を算出し、シャッタ速度、絞り値等の露出条件を決定すると共に、ホワイトバランスを調整する。
【００２２】
画像処理部１２１は、上記メモリ１１８に書き込まれた画像データに対してカラー化などの処理を行う。上記撮像素子１１３は、単板の撮像素子であるため、カラー化の処理が必要である。単板の画像データから補間演算により輝度信号、色差信号を生成してカラー画像を生成する。さらには、ガンマ補正、コントラスト補正、輪郭強調処理などを行う。
【００２３】
圧縮伸張部１２２は、上記画像処理部１２１によって処理が行われた画像データに対して、例えばＪＰＥＧ等の圧縮形式で圧縮処理を行って、画像ファイルを生成する。この生成された画像ファイルは、記録媒体制御部１２３によって制御される記録媒体１２４に書き込まれる。また、この圧縮伸張部１２２は、再生モードにおいては、上記記録媒体１２４から上記圧縮された画像ファイルを読み出し、伸張処理を行う。伸張後の画像データは、表示制御部１２５に出力され、該表示制御部１２５によって、画像表示部としてのＥＶＦ１２６やＬＣＤ１２７に画像として表示される。
【００２４】
即ち、この表示制御部１２５は、上記メモリ１１８に書き込まれた画像データをスルー画として上記ＥＶＦ１２６や上記ＬＣＤ１２７に表示させるためのものであり、上記ＥＶＦ１２６や上記ＬＣＤ１２７で表示可能なフォーマットに画像データを変換する。スルー画としては、上記ＵＩ制御部１０１の設定によりスルー画表示モードが選択されている間は、上記メモリ１１８に所定間隔で更新される画像が逐次、上記ＥＶＦ１２６や上記ＬＣＤ１２７に表示されるものである。
【００２５】
また、本実施形態においては、上記ＵＩ制御部１０１の設定によりスルー画表示モードが選択されている場合には、動き検出部１２８は撮像装置の動きを検出する。
【００２６】
図２は、この動き検出部１２８の構成を示すブロック図であり、該動き検出部１２８は、水平方向用角速度センサ１２９、水平方向用ハイパスフィルタ１３０、水平方向用ローパスフィルタＡ１３１、水平方向用ローパスフィルタＢ１３２、垂直方向用角速度センサ１３３、垂直方向用ハイパスフィルタ１３４、垂直方向用ローパスフィルタＡ１３５、及び垂直方向用ローパスフィルタＢ１３６によって構成される。
【００２７】
上記水平方向用角速度センサ１２９は、当該デジタルスチルカメラ１００の水平方向の動き量を検出するように配置されており、例えば振動ジャイロ等が用いられる。この水平方向用角速度センサ１２９の出力は、上記水平方向用ハイパスフィルタ１３０に入力されて直流成分がカットされた後に、上記水平方向用ローパスフィルタＡ１３１に入力されて、手ぶれ補正のために必要な周波数帯域に制限されて、信号Ｓｈ１として出力される。この信号Ｓｈ１は、図示されていない手ぶれ補正ユニットに送られて、手ぶれ補正用の信号として使用される。さらに、上記水平方向用角速度センサ１２９の出力は、水平方向用ローパスフィルタＢ１３２にも入力されて、高周波成分がカットされて、信号Ｓｈ２として出力される。この信号Ｓｈ２が、該デジタルスチルカメラ１００のパンニング（水平方向の動き）時を検出するのに用いられる。
【００２８】
一方、上記垂直方向用角速度センサ１３３は、当該デジタルスチルカメラ１００の垂直方向の動き量を検出するように配置されており、例えば振動ジャイロ等が用いられる。この垂直方向用角速度センサ１３３の出力は、上記垂直方向用ハイパスフィルタ１３４に入力されて直流成分がカットされた後に、上記垂直方向用ローパスフィルタＡ１３５に入力されて、手ぶれ補正のために必要な周波数帯域に制限されて、信号Ｓｖ１として出力される。この信号Ｓｖ１は、上記信号Ｓｈ１と同様に、図示されていない手ぶれ補正ユニットに送られて、手ぶれ補正用の信号として使用される。さらに、上記垂直方向用角速度センサ１３３の出力は、上記垂直方向用ローパスフィルタＢ１３６にも入力されて、高周波成分がカットされて、信号Ｓｖ２として出力される。この信号Ｓｖ２が、該デジタルスチルカメラ１００のチルト（垂直方向の動き）時を検出するのに用いられる。
【００２９】
なお、ここの説明では、手ぶれ検出目的の水平方向用角速度センサ１２９、垂直方向用角速度センサ１３３を当該デジタルスチルカメラ１００の動き検出目的に共通利用したが、手ぶれ検出が必要ない場合には、水平方向用ハイパスフィルタ１３０、水平方向用ローパスフィルタＡ１３１、垂直方向用ハイパスフィルタ１３４、及び垂直方向用ローパスフィルタＡ１３５は不要である。
【００３０】
図３は、上記のような動き検出部１２８によって当該デジタルスチルカメラ１００自身の動きが検出された場合の処理の手順を表したフローチャートを示す図である。
【００３１】
この処理は、上記ＵＩ制御部１０１を通してスルー画表示モードが選択された時に開始される（ステップＳ１）。
【００３２】
即ち、上記ＵＩ制御部１０１を通してスルー画を行うように設定がされている場合には、上記ＥＶＦ１２６や上記ＬＣＤ１２７にスルー画が表示される（ステップＳ２）。使用者が該デジタルスチルカメラ１００で撮影している際は常時、上記動き検出部１２８によって当該デジタルスチルカメラ１００自身の動きが検出される（ステップＳ３）。
【００３３】
そして、上記システムコントローラ１０２によって当該デジタルスチルカメラ１００の動きが判断される（ステップＳ４）。即ち、上記システムコントローラ１０２は、上記動き検出部１２８の出力結果である信号Ｓｈ２，Ｓｖ２をそれぞれ基準値と比較し、少なくとも一方が基準値よりも大きい場合には、当該デジタルスチルカメラ１００が動かされていると判断し、小さい場合には固定されていると判断する。
【００３４】
上記システムコントローラ１０２は、この判断結果に応じて、撮像素子１１３の露出条件を算出して露出を制御する露出制御部として機能する。
【００３５】
即ち、上記ステップＳ４において、当該デジタルスチルカメラ１００が固定されていると判断した場合には、上記システムコントローラ１０２は、通常駆動モードの露出設定で撮影を行わせて、スルー画を表示させる（ステップＳ５）。
【００３６】
本実施形態においては、通常駆動モードと高速駆動モードの２種類の露出設定が用いられる。
【００３７】
図４（Ａ）は、通常駆動モードのタイミングを表すタイミングチャートを示す図である。通常駆動モードの露出設定時のタイミングは、上記ＬＣＤ１２７などの更新のタイミング（即ち、ＬＣＤ１２７などに１フレームの画像を表示する間）をｔｖ、上記撮像素子１１３の露光時間をｔｅ、上記撮像素子１１３からの読み出しの時間をｔｒとすると、次の（１）式の関係が成り立つように制御される。  
ｔｖ＞ｔｅ＋ｔｒ                                              …（１）
表示タイミングに合わせて上記撮像素子１１３の露光、読み出しが同期して動いている。このとき、読み出された画像データは、上記メモリ１１８に書き込まれ、上記画像処理部１２１によりカラー化などの処理が行われ、上記ＥＶＦ１２６や上記ＬＣＤ１２７にスルー画として表示される。
【００３８】
図３に戻り、ＵＩ制御部１０１の入力がチェックされ、スルー画表示終了ボタンが押されたか判断される（ステップＳ６）。ここで、スルー画表示終了が選択された場合には、スルー画表示が終了される（ステップＳ７）。これに対して、スルー画表示終了ボタンが押されなかった場合には、上記ステップＳ２に戻り、当該デジタルスチルカメラ１００のＬＣＤ１２７に撮像画像が表示される。
【００３９】
こうして、当該デジタルスチルカメラ１００が動かされない限り、通常駆動モードでの露出設定でスルー画表示を行う。また、任意の時点で、利用者による上記ＵＩ制御部１０１によるシャッタボタンの押下操作（撮影指示）がなされると、上記システムコントローラ１０２は、このスルー画表示を終了して、撮影シーケンスを開始する。
【００４０】
一方、上記ステップＳ４において、当該デジタルスチルカメラ１００が動かされていると判断した場合には、高速駆動モードで露出設定を行う。即ち、上記システムコントローラ１０２は、まず、プリ測光時の露出設定で撮影を行わせ（ステップＳ８）、その後、そのプリ測光結果に基づいて、高速駆動モード時のスルー画用露出設定を行って本露光を行わせて、スルー画を表示させる（ステップＳ９）。
【００４１】
図４（Ｂ）は、高速駆動モードのタイミングを表すタイミングチャートを示す図である。この高速駆動モードでは、上記ＬＣＤ１２７などの更新のタイミング（即ち、ＬＣＤ１２７などに１フレームの画像を表示する間）ｔｖの期間中に、プリ測光として露光時間ｔｅ１の上記撮像素子１１３の露光を行い、読み出し時間ｔｒ１でその画像データを読み出す。但し、この読み出した画像データは表示されない。そして、この読み出した画像データに基づいて上記撮像素子１１３の露光時間と感度を切り替えて、該切り替えられた露光時間ｔｅ２の露光を行い、読み出し時間ｔｒ２でその画像データを読み出す。このとき、次の（２）式の関係が成り立つように制御される。  
ｔｖ＞ｔｅ１＋ｔｒ１＋ｔｅ２＋ｔｒ２                          …（２）
このように、露光時間ｔｅ１で露光された画像データがプリ測光データとして使用され、プリ測光により決定された露出設定が露光時間ｔｅ２として本露光に設定される。なお、上記プリ測光データは、上記メモリ１１８に書き込まれる。
【００４２】
図５（Ａ）乃至（Ｃ）は、上記メモリ１１８に書き込まれる画像データの形式を示す図であり、静止画撮影画像、スルー画表示画像、スルー画プリ測光画像それぞれの読み出される画素位置を表したものである。
【００４３】
図５（Ａ）に示すように、静止画撮影画像では、撮像素子１１３の受光素子のすべての画素が読み出される。これに対して、上記ステップＳ５や上記ステップＳ９で得られるスルー画表示画像では、撮像素子１１３の画素数とＬＣＤ１２７など画像表示部の画素数の比率によって、読み出される画素数が決定される。図５（Ｂ）に示す例では、図５（Ａ）に示した静止画撮影画像に対して、水平、垂直それぞれ１／３の画素数になっている。また、上記ステップＳ８で得られるスルー画プリ測光画像は、図５（Ｃ）に示すように、図５（Ｂ）に示したスルー画表示画像よりさらに少ない、図５（Ａ）に示した静止画撮影画像に対して、水平、垂直それぞれ１／７の画素数になっている。スルー画測光画像は、測光が目的であるため、測光に必要な画素数のデータがあれば良いので、１／７の画素数に限定されるものではない。
【００４４】
上記メモリ１１８に書き込まれたスルー画プリ測光画像の画像データより、上記ＡＥ処理部１１０で露出設定値が算出される。即ち、上記ＡＥ処理部１１０は、上記メモリ１１８に書き込まれたＲ，Ｇ，Ｂの画像データから輝度値Ｙを算出する。露出演算は原理的に対数の出てくる光学理論上の演算になるが、これを簡略化し加減算のみで露出演算できるように変換する。変換後の被写体輝度をＢｖ、絞り値をＡｖ、撮像素子の感度をＳｖ、露光時間をＴｖとすると、Ｂｖ値は算出された輝度値Ｙによって、次の（３）式のようになる。  
Ｂｖ＝ｌｏｇ２（Ｙ）                                            …（３）
そしてさらに、上記ＡＥ処理部１１０では、絞り値Ｆと撮像素子感度ＩＳＯを取得して、Ａｖ値、Ｓｖ値を変換する。Ａｖ値、Ｓｖ値、及び露光時間Ｔｖ値は、それぞれ次の（４）式により変換される。  
Ａｖ＝２・ｌｏｇ２（Ｆ）
Ｓｖ＝ｌｏｇ２（ＩＳＯ／３．１２５）
Ｔｖ＝−ｌｏｇ２（Ｔ）                                        …（４）
さらに、適正露出時は、次の（５）式の関係が成り立つので、以下の（６）式により露光時間Ｔｖが算出される。  
Ｂｖ＋Ｓｖ＝Ｔｖ＋Ａｖ                                        …（５）
Ｔｖ＝Ｂｖ＋Ｓｖ−Ａｖ                                        …（６）
このときに使用するプログラム線図は、予め撮像素子１１３の特性を考慮して作られているものを用いる。
【００４５】
図６は、図３において当該デジタルスチルカメラ１００の動きが検出され高速駆動モード時で動作するときの上記ステップＳ８，Ｓ９の詳細を表すフローチャートを示す図である。
【００４６】
即ち、上記ステップＳ４において、上記動き検出部１２８の出力に基づき、当該デジタルスチルカメラ１００が動かされていると判断した場合には、上記システムコントローラ１０２は、１フレーム前は高速駆動モードであったか、通常駆動モードであったかを判定する（ステップＳ８１）。１フレーム前の駆動モードが通常駆動モードであった場合には、上記ＡＥ処理部１１０にて露出条件を演算する時の入力データが通常モードにより撮影されたデータとなるので、露出条件を演算するときに、露光時間Ｔｖを短くし、その分、感度Ｓｖを上げるように補正を行って、上記ＡＥ処理部１１０に露出演算を行わせる（ステップＳ８２）。一方、１フレーム前の駆動モードが高速駆動モードであった場合には、当該デジタルスチルカメラ１００が動かされている状態が継続されていると判断して、上記ＡＥ処理部１１０にて露出条件を演算する時の入力データが高速モードで撮影されたデータであるので、補正は行わないで、上記ＡＥ処理部１１０に露出演算を行わせる（ステップＳ８３）。このステップＳ８２又はステップＳ８３において上記ＡＥ処理部１１０で演算された露出条件は、例えば、上記メモリ１１８に一時的に書き込まれる。
【００４７】
そして、この書き込まれた露出条件は、上記撮像素子駆動部１１４に送られて、プリ測光の露出条件の設定が行われる（ステップＳ８４）。上記撮像素子１１３では、所定のタイミングで上記撮像素子駆動部１１４に設定されている撮像条件で撮像が行われる。上記撮像素子１１３が出力するデータは、上記ＣＤＳ１１５でノイズ除去、上記ＡＭＰ１１６で増幅などのアナログ処理が行われた後、上記Ａ／Ｄ変換器１１７によって、デジタルデータに変換される（ステップＳ８５）。そして、変換されたデジタルデータは、プリ測光データとして上記メモリ１１８に一時的に記憶される（ステップＳ８６）。
【００４８】
その後、上記ＡＥ処理部１１０では、上記メモリ１１８に記憶されているプリ測光データに基づいて本露光用の露出条件の演算を行う（ステップＳ９１）。このＡＥ処理部１１０で演算された本露光用の露出条件は、例えば、上記メモリ１１８に一時的に書き込まれる。
【００４９】
そして、この書き込まれた露出条件は、上記撮像素子駆動部１１４に送られて、本露光用の撮像条件の設定が行われる（ステップＳ９２）。上記撮像素子１１３では、所定のタイミングで上記撮像素子駆動部１１４に設定されている撮像条件で撮像が行われる。上記撮像素子１１３が出力するデータは、プリ測光の時と同様に、上記ＣＤＳ１１５でノイズ除去、上記ＡＭＰ１１６で増幅などのアナログ処理が行われた後、上記Ａ／Ｄ変換器１１７によって、デジタルデータに変換される（ステップＳ９３）。そして、変換されたデータは、表示用のデータとして上記メモリ１１８に一時的に記憶される（ステップＳ９４）。
【００５０】
また、このメモリ１１８に一時的に記憶されている表示用のデータは、次フレームのプリ測光時の露出条件を演算するときに使用される。
【００５１】
前述のように算出された露出条件によって撮像されて上記メモリ１１８に一時的に保存されているスルー画表示用画像は、上記画像処理部１２１によりカラー化などの処理が行われ、上記ＥＶＦ１２６や上記ＬＣＤ１２７にスルー画として表示される。
【００５２】
以上のように、本第１実施形態では、上記動き検出部１２８において当該デジタルスチルカメラ１００の動きを検出し、撮影画面の輝度が急激に変化するのに備えて、撮像素子１１３の駆動をスルー画表示のフレームレートに比べて高速に駆動するように切り替わるため、スルー画表示において画面の急激な輝度変化に対応でき、スルー画の見栄え、視認性の低下を防止することにより、高品位なスルー画の表示が可能になり、フレーミングやズーミングなどを行い易くなる。
【００５３】
［第２実施形態］
次に、本発明の撮像装置の第２実施形態に係るデジタルスチルカメラについて説明する。
【００５４】
本第２実施形態に係るデジタルスチルカメラ１００の構成は、前述の第１実施形態と同様であるので、その説明は省略する。
【００５５】
本第２実施形態は、上記第１実施形態に比べて、上記ズーム移動検出部１０７においてズームレンズの移動を検出する点が異なる。
【００５６】
図７は、上記ズーム移動検出部１０７によってデジタルスチルカメラ１００のズームレンズが移動している場合の処理手順を表したフローチャートを示す図である。
【００５７】
この処理は、上記ＵＩ制御部１０１を通してスルー画表示モードが選択された時に開始される（ステップＳ１）。
【００５８】
即ち、上記ＵＩ制御部１０１を通してスルー画を行うように設定がされている場合には、上記ＥＶＦ１２６や上記ＬＣＤ１２７にスルー画が表示される（ステップＳ２）。使用者が該デジタルスチルカメラ１００で撮影している際は常時、上記ズーム移動検出部１０７のズームエンコーダによって上記レンズ１０３のズームレンズの位置情報を検出し、ズームコードとして出力し、差分検出回路でズームコードの変化を検出して、ズームレンズのズーム倍率の変動が検出される（ステップＳ１０）。
【００５９】
そして、上記システムコントローラ１０２によってズームレンズの移動が判断される（ステップＳ１１）。即ち、ズームコードが基準のズーム倍率よりも大きく変化している場合にはズームレンズが移動していると判断し、小さい変化しかしていない場合には停止していると判断する。
【００６０】
上記システムコントローラ１０２は、この判断結果に応じて、撮像素子１１３の露出条件を算出して露出を制御する露出制御部として機能する。
【００６１】
即ち、上記ステップＳ１１において、ズームレンズが停止していると判断した場合には、上記システムコントローラ１０２は、通常駆動モードの露出設定で撮影を行わせて、スルー画を表示させる（ステップＳ５）。
【００６２】
また、上記ステップＳ１１において、ズームレンズが移動していると判断した場合には、高速駆動モードで露出設定を行う。即ち、上記システムコントローラ１０２は、まず、プリ測光時の露出設定で撮影を行わせ（ステップＳ８）、その後、そのプリ測光結果に基づいて、高速駆動モード時のスルー画用露出設定を行って本露光を行わせて、スルー画を表示させる（ステップＳ９）。
【００６３】
上記高速駆動モードの動作に関しては、上記第１実施形態で説明した通りであるので、その説明は省略する。
【００６４】
以上のように、本第２実施形態では、上記ズーム移動検出部１０７においてズームレンズのズーム倍率の変動を検出し、撮影画面の輝度が急激に変化するのに備えて、撮像素子１１３の駆動をスルー画表示のフレームレートに比べて高速に駆動するように切り替わるため、スルー画表示において画面の急激な輝度変化に対応でき、スルー画の見栄え、視認性の低下を防止することにより、高品位なスルー画の表示が可能になり、フレーミングやズーミングなどを行い易くなる。
【００６５】
以上実施形態に基づいて本発明を説明したが、本発明は上述した実施形態に限定されるものではなく、本発明の要旨の範囲内で種々の変形や応用が可能なことは勿論である。
【００６６】
例えば、撮像装置としてデジタルスチルカメラを例に説明したが、ビデオカメラ等にも同様に適用可能である。
【図面の簡単な説明】
【００６７】
【図１】図１は、本発明の撮像装置の第１実施形態に係るデジタルスチルカメラのブロック構成図である。
【図２】図２は、図１中の動き検出部のブロック構成図である。
【図３】図３は、第１実施形態に係るデジタルスチルカメラの自身の動きが検出された場合の処理の手順を表したフローチャートを示す図である。
【図４】図４（Ａ）は、通常駆動モードのタイミングを表すタイミングチャートを示す図であり、図４（Ｂ）は、高速駆動モードのタイミングを表すタイミングチャートを示す図である。
【図５】図５（Ａ）は、静止画撮影画像の読み出される画素位置を表した図であり、図５（Ｂ）は、スルー画表示画像の読み出される画素位置を表した図であり、図５（Ｃ）は、スルー画プリ測光画像の読み出される画素位置を表した図である。
【図６】図６は、図３中のステップＳ８及びＳ９の詳細を表すフローチャートを示す図である。
【図７】図７は、本発明の第２実施形態に係るデジタルスチルカメラの処理の手順を表したフローチャートを示す図である。
【符号の説明】
【００６８】
１００…デジタルスチルカメラ、  １０１…ＵＩ制御部、  １０２…システムコントローラ、  １０３…レンズ、  １０４…レンズ駆動部、  １０５…ＡＦ処理部、  １０６…バス、  １０７…ズーム移動検出部、  １０８…絞り、  １０９…絞り駆動部、  １１０…ＡＥ処理部、  １１１…メカシャッタ、  １１２…メカシャッタ駆動部、  １１３…撮像素子、  １１４…撮像素子駆動部、  １１５…ＣＤＳ（相関２重サンプリング回路）、  １１６…ＡＭＰ、  １１７…Ａ／Ｄ変換器、  １１８…メモリ、  １１９…ストロボ制御部、  １２０…ストロボ、  １２１…画像処理部、  １２２…圧縮伸張部、  １２３…記録媒体制御部、  １２４…記録媒体、  １２５…表示制御部、  １２６…ＥＶＦ、  １２７…ＬＣＤ、  １２８…動き検出部、  １２９…水平方向用角速度センサ、  １３０…水平方向用ハイパスフィルタ、  １３１…水平方向用ローパスフィルタＡ、  １３２…水平方向用ローパスフィルタＢ、  １３３…垂直方向用角速度センサ、  １３４…垂直方向用ハイパスフィルタ、  １３５…垂直方向用ローパスフィルタＡ、  １３６…垂直方向用ローパスフィルタＢ。
【図１】
2009188644.tif 000003
【図２】
2009188644.tif 000004
【図３】
2009188644.tif 000005
【図４】
2009188644.tif 000006
【図５】
2009188644.tif 000007
【図６】
2009188644.tif 000008
【図７】
2009188644.tif 000009